(57)【特許請求の範囲】
【請求項１】
被介護者（Ａ）の骨盤部（ｂ）と背中部（ｃ）を含む床ずれ発生予想部位に対応する所定箇所に配置される膨縮自在な複数のエアー袋体（１）と、該エアー袋体（１）が配設されるマット部（21）と、上記エアー袋体（１）へ圧縮エアーを送って膨張させるためのエアー供給手段（２）と、上記エアー供給手段（２）を作動制御して該エアー袋体（１）へ所定時間（ｔ）毎に圧縮エアーを送って膨張させる制御手段（３）と、ＩＣメモリチップ、ＩＣメモリカード、磁気カード、光磁気カード等から成りかつ上記エアー供給手段（２）の設定条件と患者情報とを含むとともに各々の上記被介護者（Ａ）に合わせて予め医師により入力されて作成された治療データを記録する記録片（６）と、上記記録片（６）が接近又は挿入されることで該記録片（６）の上記治療データを読取可能なデータ読取部（７）と、を備え、
上記所定時間（ｔ）が、15分〜30分の範囲に設定され、
上記制御手段（３）が、該データ読取部（７）にて読み取った該記録片（６）の該治療データに基いて上記エアー袋体（１）の作動制御を行うように構成し、
上記エアー袋体（１）の作動制御が、作動させるエアー袋体（１）の選択に関する制御、エアー圧力の強弱に関する制御、上記所定時間（ｔ）に関する制御を含み、
さらに、上記被介護者（Ａ）の骨盤部（ｂ）に対応する箇所に設けられた上記エアー袋体（１）は、複数個から成り、上記被介護者（Ａ）のオムツ交換時の腰部持ち上げ作動用に兼用されており、
かつ、上記マット部（21）の横断面形状が、左右が上方へ上昇する固定舟型又は可動舟型であることを特徴とするベッド。
【発明の詳細な説明】
【技術分野】
【０００１】
本発明は、ベッドに係り、より詳しくは、床ずれ防止機能を備えたベッドに関する。
【背景技術】
【０００２】
一般に、健康な人は、睡眠中に数多くの体位の変換を行っている。例えば、８時間の睡眠時間が普通とすると、その間に、健康な人々は約60回体位の変換を行っている。この体位の変換は、生理的なものであって体動と呼ばれている。そして、「同じ姿勢でいるのは１５分程度が限度」というのが、動物である人間の体動の原理である。
重い怪我、病気で寝たきり状態となった人や寝たきり老人等の被介護者の床ずれを防ぐ為には、この人間の体動の原理が大切である。
ところで、従来より、重い怪我、病気で寝たきり状態となった人や寝たきり老人等の被介護者用のベッドとして、種々の構造のものが提案されている（例えば、特許文献１参照）。
特許文献１では、「ベッド本体が、背もたれ部と座部と脚受け部と足載せ部に分割されると共にこれら各部を互いに回転自在に枢着したマット部材を備え、腰掛け状とベッド状とに変形する介護用のベッドに於いて、ベッド本体をマット部材と共に昇降させる昇降装置を設けたもの」が開示されている。
【特許文献１】特開２００４−１６３７０号公報
【発明の開示】
【発明が解決しようとする課題】
【０００３】
しかしながら、上記特許文献１に開示されたような従来の介護用のベッドでは、腰掛け状とベッド状との２つの状態に変形できても、被介護者の床ずれ防止機能は備わっていなかった。
また、長期間に渡って自分の思うように身体を動かすことのできない被介護者には、ストレスが溜まる。このストレスは、病気や腰痛を発生させたり、病気を悪化させる要因となるが、従来の介護用ベッドでは、腰痛予防やストレスを和らげる機能を有するものが見られなかった。つまり、従来の介護用のベッドでは、被介護者の希望に充分沿った開発がされていなかった。
そこで、本発明は、寝たきり状態となっている各被介護者の希望に沿って、床ずれを防止したりストレスを和らげたりし得るベッドを提供することを目的とする。
【課題を解決するための手段】
【０００４】
上記目的を達成するために、本発明に係るベッドは、被介護者の骨盤部と背中部を含む床ずれ発生予想部位に対応する所定箇所に配置される膨縮自在な複数のエアー袋体と、該エアー袋体が配設されるマット部と、上記エアー袋体へ圧縮エアーを送って膨張させるためのエアー供給手段と、上記エアー供給手段を作動制御して該エアー袋体へ所定時間毎に圧縮エアーを送って膨張させる制御手段と、ＩＣメモリチップ、ＩＣメモリカード、磁気カード、光磁気カード等から成りかつ上記エアー供給手段の設定条件と患者情報とを含むとともに各々の上記被介護者に合わせて予め医師により入力されて作成された治療データを記録する記録片と、上記記録片が接近又は挿入されることで該記録片の上記治療データを読取可能なデータ読取部と、を備え、上記所定時間が、15分〜30分の範囲に設定され、上記制御手段が、該データ読取部にて読み取った該記録片の該治療データに基いて上記エアー袋体の作動制御を行うように構成し、上記エアー袋体の作動制御が、作動させるエアー袋体の選択に関する制御、エアー圧力の強弱に関する制御、上記所定時間に関する制御を含み、さらに、上記被介護者の骨盤部に対応する箇所に設けられた上記エアー袋体は、複数個から成り、上記被介護者のオムツ交換時の腰部持ち上げ作動用に兼用されており、かつ、上記マット部の横断面形状が、左右が上方へ上昇する固定舟型又は可動舟型である。
【発明の効果】
【０００５】
本発明は、次のような著大な効果を奏する。
本発明に係るベッドは、健康な人の体動をまねて所定時間毎に寝たきり状態の被介護者の体位の変換を行うことができ、床ずれの発生を防止することができる。また、被介護者の床ずれ発生予想部位に対応する所定箇所にエアー袋体を配置することによって、単にエアー袋体により体位の変換を行う場合と比較して、床ずれの発生を確実に防止し得る。
【０００６】
また、被介護者の床ずれ好発部位に広く対応して床ずれ防止の機能を働かせ得る。
また、人間の体動の原理に基づいて適切に被介護者の体位の変換を行うことができ、床ずれの発生を効果的に防止し得る。
また、床ずれ防止機能を有するテーラーメード型のベッドとし得る。
また、身体を支えるふくらはぎやお尻、背中等の筋肉が衰えた被介護者が、これらの筋肉を動かして鍛え直すことができる。
また、膨張状態が球形のエアー袋体によって骨盤部及び背中部が持ち上げられた被介護者の体勢をより不安定にすることができ、より多くの刺激を被介護者の筋肉に与えることができる。
【０００７】
また、遠赤外線発生部により、被介護者のストレスを和らげることができる。
また、複数の場所に遠赤外線発生部を配置することによって、被介護者の交感神経と副交感神経とのバランス調節をより広範囲で同時に行うことができ、被介護者にリラックス効果をすぐに与えることができる。
また、マッサージ機能を付加することによって、被介護者の床ずれを防止するだけでなく、被介護者のストレスを和らげることができる。
また、15〜25インチサイズのディスプレイ部により、被介護者に納得感，満足感を与えつつ、エアー袋体の作動及びエアー圧力の設定等を行い得る。
【０００８】
また、医療機具として、被介護者の好みに合い、かつ、専門的に判断しても適切な条件でエアー袋体を作動させることができ、被介護者の床ずれの発生を確実に防止できる。
また、床ずれ防止機能とオムツ交換機能とによりエアー袋体をより活用できる。また、安定してオムツ交換を行うことができる。
【発明を実施するための最良の形態】
【０００９】
以下、実施の形態を示す図面に基づき本発明を詳説する。
図１〜図３に於て、本発明と関係が深い参考例に係るベッドは、例えば総合病院や老人ホーム等に設置され、重病人や老人等の身体不自由で寝たきり状態となっている被介護者Ａの床ずれ防止を主として、使用される。
参考例のベッドは、被介護者Ａの床ずれ発生予想部位に対応する所定箇所に配置される膨縮自在な複数のエアー袋体１…と、エアー袋体１…へ所定時間ｔ毎に圧縮エアーを送って膨張させるエアー供給手段２と、エアー供給手段２の制御を行う制御手段３と、を備えている。
【００１０】
エアー袋体１…及びエアー供給手段２は、エアー袋体１…が配設されるマット部21とマット部21を支持するフレーム部22とヘッド部23とを備えたベッド本体20に設けられている。また、制御手段３は、ベッド本体20の脇に設置される操作ユニット30に設けられている（詳細は後述する）。
エアー供給手段２は、エアコンプレッサ，エアタンク，電磁弁等で構成されている。
エアー袋体１…は、床ずれ防止のために主として使用されるものである。被介護者Ａの床ずれ発生予想部位が、被介護者Ａの両踵部ａ，骨盤部ｂ，背中部ｃ，両肘部ｄ，両肩甲骨部ｅ，後頭部ｆ，腰部ｊから成っている。これらは、床ずれの好発部位であり、エアー袋体１…は、それらに対応して配置されている。なお、一般的に、床ずれの初発部位は両踵部ａとされている。
エアー袋体１…は、床ずれ発生予想部位ごとに形状が異なっている。具体的には、被介護者Ａの腰部ｊ，骨盤部ｂ及び背中部ｃのエアー袋体１ｊ，１ｂ，１ｃは、図４に示すように、膨張状態が球形となっている。これらのエアー袋体１ｊ，１ｂ，１ｃは、図５に示すように、短冊状とされる場合もある。
また、被介護者Ａの両踵部ａ，両肘部ｄ，両肩甲骨部ｅ，後頭部ｆのエアー袋体１ａ，１ｄ，１ｅ，１ｆは、図６に示すように、膨張状態が偏平状となっている。
【００１１】
各エアー袋体１は、体型や身長が相違する多くの被介護者Ａの床ずれ発生予想部位に対応できるように、ある程度までは頭側，足側，左右に移動可能となっている。具体的に述べると、図７に示すように、各エアー袋体１にはねじ孔部を有する移動体10が取り付けられている。また、移動体10は、駆動部14（図９参照）にて回転されるねじ杆11に螺合されている。これにより、各エアー袋体１は、ねじ杆11の回転により位置を移動できるようになっている。
【００１２】
ここで、図１〜図３に示すように、上述したエアー袋体１…のうち特に膨張状態が球形となる腰部ｊ，骨盤部ｂ及び背中部ｃのエアー袋体１ｊ，１ｂ，１ｃを作動させる場合に、マット部21を普通のベッド状から舟型に変形させるようになっている。即ち、マット部21の横断面形状が、揺動軸12を境にしてアクチュエータ８…にて左右が上方へ上昇する可動舟型となっている（図２の矢印Ｃ方向）。そして、マット部21は、可動せずかつ舟型となったときに底の部分となる固定部21ａと、可動する可動部21ｂ，21ｂと、を有している。
固定部21ａは、マット部21を舟型にした際に被介護者Ａが仰臥する場所であり、その左右の幅Ｗは、例えば、平均的な大人の男性の肩幅の1. 2〜1. 5倍に設定されている。
図８に於て、可動部21ｂ，21ｂは、揺動角度θが例えば40°〜70°となるように、設定されている。エアー袋体１ｊ，１ｂ，１ｃを膨張させた際、持ち上げられた被介護者Ａの身体は斜めに傾いてエアー袋体１ｊ，１ｂ，１ｃの上からずり落ちようとする。その際、上昇状態の可動部21ｂ，21ｂは、斜めに傾いた被介護者Ａの身体を受け止めるようになっている。
【００１３】
上述のように、エアー袋体１…は、主に床ずれ防止のために使用されるものであるが、エアー袋体１…以外にも腰痛予防，血行促進，ストレス解消等のため、温熱機能やマッサージ機能等が付加されている。
温熱機能について説明すると、図１〜図３に示すように、複数の遠赤外線発生部４…を備えている。遠赤外線発生部４…は、遠赤外線輻射熱を利用する板状のヒーターであり、例えば波長９〜10μｍの遠赤外線が使用されている。また、これらの遠赤外線発生部４…は、被介護者Ａの身体の各部（２箇所以上）に対応するようにして配置されている。具体的には、被介護者Ａの足裏部ｇに対応して遠赤外線発生部４ｇが配置されている。さらに、被介護者Ａの骨盤部ｂ，背中部ｃ，肩部ｈ，頭頂部ｉに対応して遠赤外線発生部４ｂ，４ｃ，４ｈ，４ｉが配置されている。
【００１４】
また、マッサージ機能について説明すると、図３及び図９に示すように、足マッサージ部13ａや腕マッサージ部13ｂを有すると共に背中部ｃ等をもみ玉（図示省略）でマッサージするマッサージ手段13を備えている。マッサージ手段13は、たたき，もみ，さすり背筋のばし等の動作を行うようになっている。なお、腕マッサージ部13ｂは、マット部21の可動部21ｂ, 21ｂに設けられており、マット部21を舟型にした状態で被介護者Ａを左右から挾み込むように作動する。
【００１５】
上述のエアー袋体１…による床ずれ防止機能や、遠赤外線発生部４…による温熱機能や、マッサージ手段13によるマッサージ機能を働かせるには、種々の設定方法があるので、各機能の現在の作動状況，設定状況を被介護者Ａにわかりやすく知らせるのが望ましい。そこで、図１及び図９に示すように、遠赤外線発生部４…，マッサージ手段13，エアー袋体１…の作動状況及び設定状況を知らせる15〜25インチサイズのディスプレイ部５を備えている。なお、図９に於て、複数の遠赤外線発生部４…及びエアー袋体１…は、簡略化して一つのみ描いている。また、図９の符号15は空圧ラインである。
【００１６】
ディスプレイ部５は、基端部がヘッド部23に枢着される保持アーム９の先端部に取り付けられている。ディスプレイ部５は、この保持アーム９によって、水平状態と垂直状態に切換え可能に構成されている。そして、ディスプレイ部５を水平状態にした場合には、マット部21に仰臥した被介護者Ａが、遠赤外線発生部４…，マッサージ手段13，エアー袋体１…の作動状況及び設定状況を知ることができるようになっている（図11参照）。また、遠赤外線発生部４…，マッサージ手段13，エアー袋体１…を使用しない場合には、ディスプレイ部５を垂直状態にして被介護者Ａの動きの邪魔にならないようになっている。また、ディスプレイ部５の垂直状態においては、周囲の人がディスプレイ部５に表示された情報を確認することができるようになっている。
【００１７】
次に、図１，３及び図９〜11に於て、ベッド本体20の脇に設置された操作ユニット30について説明を行う。
操作ユニット30は、被介護者Ａのリハビリの指導を行ったり治療を行ったりする専門のインストラクタ，マッサージ師，医師等の有資格者Ｂによって、操作される。
操作ユニット30には、図10に示すように、表示部31と、条件設定部32と、上述の制御手段３と、が設けられている。
【００１８】
制御手段３は、図９に示すように、エアー袋体１…にエアーを供給するエアー供給手段２の制御を行うだけでなく、駆動部14，遠赤外線発生部４…，マッサージ手段13，ディスプレイ部５とも電気的に接続され、これらの制御を行っている。
具体的に述べると、エアー供給手段２については、作動させるエアー袋体１の選択，エアー圧力の強弱，所定時間ｔ（エアー袋体１…へ圧縮エアーを送る時間間隔）等の制御を行っている。所定時間ｔが、15分〜30分の範囲に設定されている。また、駆動部14については、各エアー袋体１の位置を設定するために制御を行っている。また、遠赤外線発生部４については、作動させる遠赤外線発生部４の選択，温度，作動時間等の制御を行っている。また、マッサージ手段13については、マッサージ部位，マッサージの強弱の設定，マッサージ方法の設定等の制御を行っている。また、ディスプレイ部５については、エアー供給手段２，駆動部14，遠赤外線発生部４…，マッサージ手段13等の作動状況や設定状況の変化に対応して最新の情報が表示されるように、制御を行っている。
【００１９】
表示部31は、図１，図９〜図11に示すように、ディスプレイ部５に表示される情報とほぼ同様の情報を表示する部分であり、有資格者Ｂがエアー供給手段２，駆動部14，遠赤外線発生部４…，マッサージ手段13等の作動状況や設定状況を確認するために設けられている。
条件設定部32には、エアー供給手段２，駆動部14，遠赤外線発生部４，マッサージ手段13の種々の条件設定を行うスイッチ類が設けられており、有資格者Ｂが設定を行うようになっている。この設定を行うことで、エアー袋体１…へのエアー圧力の強弱及び所定時間ｔ等が、被介護者Ａ毎に予め設定されるようになっている。
【００２０】
ここで、各々の被介護者Ａに合わせて予め有資格者Ｂにより入力されて作成された治療データを記録する記録片６と、記録片６が挿入されることで記録片６の治療データを読取可能なデータ読取部７と、を備えている。
治療データは、上述したエアー供給手段２，駆動部14，遠赤外線発生部４…，マッサージ手段13の種々の設定条件と、患者情報と、から成っている。患者情報としては、例えば会員番号，氏名，年齢，性別，生年月日，血液型，職業，住所，電話番号，現在患っている病気等の情報が挙げられる。
記録片６は、例えばＩＣメモリチップ，ＩＣメモリカード，磁気カード，光磁気カード等から成る。
また、データ読取部７は、操作ユニット30に設けられると共に制御手段３と電気的に接続されており、記録片６の治療データを制御手段３に送るようになっている。そして、制御手段３が、データ読取部７にて読み取った記録片６の治療データに基いてエアー袋体１…の作動制御を行うように、構成されている。
【００２１】
上述したように、記録片６に種々の設定条件や患者情報を記録するようになっているので、被介護者Ａが別の病室に移動して別のベッドを使用する場合、細かい条件設定作業を始めから行わなくてすむように構成されている。
なお、記録片６に治療データを記録する場合、有資格者Ｂは、操作ユニット30の条件設定部32を使用して、被介護者Ａとコミュニケーションをとりながら、記録片６に治療データを入力する。
【００２２】
次に、図12〜図14に於て、本発明のベッドについて説明する。
本発明のベッドは、被介護者Ａの骨盤部ｂに対応する箇所に設けられたエアー袋体１が、複数個から成り、かつ、被介護者Ａのオムツ交換時の腰部持ち上げ作動用に兼用されている。
【００２３】
具体的に説明すると、本発明のベッドでは、図３に示したベッドの遠赤外線部４ｂとエアー袋体１ｂに代えて、３個のエアー袋体１ｘ，１ｙ，１ｚが左右一列状に並んでいる。そして、被介護者Ａのオムツ交換時、図13に示すように、エアー袋体１ｘ，１ｙ，１ｚにはエアーが供給され、被介護者Ａの腰部を持ち上げるようになっている。また、エアー袋体１ｘ，１ｙ，１ｚは、被介護者Ａの身体に沿ってバランスよく配置され、かつ、膨張状態での形状も被介護者Ａの身体に沿った形状に形成されている。
また、エアー袋体１ｘ，１ｙ，１ｚは、夫々のエアー圧力を相違させて、図14に示すように、被介護者Ａの身体の傾きを調節することができるようになっている。また、エアー袋体１ｘとエアー袋体１ｚとのエアー圧力の強弱を交互に切り換えることによって、被介護者Ａの身体を左右に交互に傾けることが可能となっている。
その他の構成は、図１〜図11に示したベッドと同様である。
【００２４】
なお、本発明は、上述の実施の形態に限定されず、本発明の要旨を逸脱しない範囲で設計変更可能である。例えば、床ずれ発生予想部位が、被介護者Ａの両踵部ａ，骨盤部ｂ，背中部ｃ，両肘部ｄ，両肩甲骨部ｅ，後頭部ｆである場合を例示したが、本発明はこれに限らず、床ずれ発生予想部位を、これらの内から２箇所以上の組合せを選択して成るようにするのも好ましい。
また、遠赤外線発生部４が、被介護者Ａの足裏部ｇ，骨盤部ｂ，背中部ｃ，肩部ｈ，頭頂部ｉに対応して配置されている場合を例示したが、本発明はこれに限らず、遠赤外線発生部４を被介護者Ａの足裏部ｇ，骨盤部ｂ，背中部ｃ，肩部ｈ，頭頂部ｉの内の２箇所以上の組合せに対応して配置するも好ましい。
【００２５】
また、記録片６が挿入されることで記録片６の治療データを読取可能なデータ読取部７を備える場合を例示したが、本発明はこれに限らず、記録片６が接近されることで記録片６の治療データを読取可能なデータ読取部７を備えるも好ましい。
また、マット部21は、左右が上方へ上昇する可動舟型とするものに限るのではなく、左右が上方へ上昇した固定舟型とするも好ましい。
【００２６】
また、マット部21の表面を覆っている外皮の一部を、人のがん細胞を弱体化させる特殊材料にて形成するも好ましい。具体的には、高純度（炭酸カルシウムを99.5％以上含む）の石灰石を加熱加工して作成した合成ゴムに特殊な金属を練り込んだ材料にて、外皮の一部を形成する。この特殊材料は、ミクロ単位の無数の気泡（体積比率で90％以上の独立気泡）を内包した構造となっており、波長４〜25μm の遠赤外線を発する。このように構成すれば、被介護者Ａがベッドに横になっている間に被介護者Ａのがん細胞を弱体化させることが可能となる。
【００２７】
以上のように本発明に係るベッドは、被介護者Ａの床ずれ発生予想部位に対応する所定箇所に配置される膨縮自在なエアー袋体１…と、エアー袋体１…へ所定時間ｔ毎に圧縮エアーを送って膨張させるエアー供給手段２と、エアー供給手段２の制御を行う制御手段３と、を備えるので、健康な人の体動をまねて所定時間ｔ毎に寝たきり状態の被介護者Ａの体位の変換を行うことができ、床ずれの発生を防止することができる。また、被介護者Ａの床ずれ発生予想部位に対応する所定箇所にエアー袋体１…を配置することによって、ただ単にエアー袋体１…により体位の変換を行う場合と比較して、床ずれの発生を確実に防止し得る。
【００２８】
また、床ずれ発生予想部位が、被介護者Ａの両踵部ａ，骨盤部ｂ，背中部ｃ，両肘部ｄ，両肩甲骨部ｅ，後頭部ｆの内から２箇所以上を選択して成るので、被介護者Ａの床ずれ好発部位に広く対応して床ずれ防止の機能を働かせ得る。
【００２９】
また、所定時間ｔが、15分〜30分の範囲に設定されているので、人間の体動の原理に基づいて適切に被介護者Ａの体位の変換を行うことができ、床ずれの発生を効果的に防止し得る。
【００３０】
また、エアー袋体１…へのエアー圧力の強弱及び所定時間ｔが、被介護者Ａ毎に予め設定されているので、被介護者Ａの希望に沿って、適切な刺激を床ずれ発生予想部位に与えることができ、床ずれ防止機能を有するテーラーメード型のベッドとし得る。
【００３１】
また、エアー袋体１…が配設されるマット部21を備え、被介護者Ａの骨盤部ｂと背中部ｃに対応する箇所にエアー袋体１を配置し、かつ、マット部21の横断面形状が、左右が上方へ上昇する固定舟型又は可動舟型であるので、身体を支えるふくらはぎやお尻，背中等の筋肉が衰えた被介護者Ａが、これらの筋肉を動かして鍛え直す（リハビリを行う）ことができる。また、マット部21の横断面形状を舟型にすることによって、被介護者Ａの身体が斜めに傾いてエアー袋体１…の上から完全にずり落ちるのを規制できるので、適切な刺激を被介護者Ａの筋肉に与えることができる。
【００３２】
また、被介護者Ａの骨盤部ｂ及び背中部ｃのエアー袋体１ｂ，１ｃは、膨張状態が球形であるので、エアー袋体１ｂ，１ｃによって骨盤部ｂ及び背中部ｃが持ち上げられた被介護者Ａの体勢をより不安定にすることができ、より多くの刺激を被介護者Ａの筋肉に与えることができる。
【００３３】
また、被介護者Ａの足裏部ｇに対応して遠赤外線発生部４を配置したので、被介護者Ａの交感神経と副交感神経とのバランスを調節して、被介護者Ａにリラックス効果を与え、被介護者Ａのストレスを和らげることができる。また、被介護者Ａの体内に蓄積された老廃物を汗と共に排出させることができ、血行や代謝を促進させることができる。
【００３４】
また、被介護者Ａの足裏部ｇ，骨盤部ｂ，背中部ｃ，肩部ｈ，頭頂部ｉの内の２箇所以上に対応して遠赤外線発生部４を配置したので、被介護者Ａの交感神経と副交感神経とのバランスを調節して被介護者Ａにリラックス効果を与え、被介護者Ａのストレスを和らげることができる。また、被介護者Ａの体内に蓄積された老廃物を汗と共に排出させることができ、血行や代謝を促進させることができる。さらに、複数の場所に遠赤外線発生部４を配置することによって、被介護者Ａの交感神経と副交感神経とのバランス調節をより広範囲で同時に行うことができ、被介護者Ａにリラックス効果をすぐに与えることができる。
【００３５】
また、マッサージ機能を付加することによって、被介護者Ａの床ずれを防止するだけでなく、被介護者Ａにマッサージによるリラックス効果を与え、被介護者Ａのストレスを和らげることができる。また、被介護者Ａの筋肉を刺激することによって腰痛等の筋肉痛の予防にもなる。また、遠赤外線発生部４を配置すると共にマッサージ機能を付加することによって、熱と揉み，振動等で複合的に被介護者Ａを癒すことができる。
【００３６】
また、エアー袋体１…の作動状況及び設定状況を知らせる15〜25インチサイズのディスプレイ部５を備えるので、詳細な作動状況及び設定状況を被介護者Ａにわかりやすく伝えることができ、被介護者Ａに納得感，満足感を与えつつ、エアー袋体１…の作動及びエアー圧力の設定等を行い得る。
【００３７】
また、各々の被介護者Ａに合わせて予め有資格者Ｂにより入力されて作成された治療データを記録する記録片６と、記録片６が接近又は挿入されることで記録片６の治療データを読取可能なデータ読取部７と、を備え、制御手段３が、データ読取部７にて読み取った記録片６の治療データに基いてエアー袋体１…の作動制御を行うように構成したので、医療機具として、被介護者Ａの好みに合い、かつ、専門的に判断しても適切な条件でエアー袋体１…を作動させることができ、被介護者Ａの床ずれの発生を確実に防止できる。
また、記録片６に種々の設定条件や患者情報を含む治療データを記録するので、被介護者Ａが別の病室に移動した場合、別の病室に設置された本発明に係る別のベッドに於いて細かい条件設定作業を最初から行わなくてすむ。
【００３８】
また、被介護者Ａの骨盤部ｂに対応する箇所に設けられたエアー袋体１は、複数個から成り、かつ、被介護者Ａのオムツ交換時の腰部持ち上げ作動用に兼用されているので、床ずれ防止機能とオムツ交換機能とによりエアー袋体１…をより活用できる。また、骨盤部ｂに対応する箇所にエアー袋体１を１個のみ設ける場合よりも、より被介護者Ａの身体に沿ってエアー袋体１…を配置することができ、安定してオムツ交換を行うことができる。
【図面の簡単な説明】
【００３９】
【図１】本発明と関係が深い参考例に係るベッドを示す斜視図である。
【図２】舟型状態にしたベッドを示す斜視図である。
【図３】平面図である。
【図４】球状のエアー袋体を示す斜視図である。
【図５】短冊状のエアー袋体を示す斜視図である。
【図６】偏平状のエアー袋体を示す斜視図である。
【図７】エアー袋体の可動機構を説明するための斜視図である。
【図８】球状のエアー袋体の使用状態を説明するための簡略図である。
【図９】全体構成を示す簡略図である。
【図１０】操作ユニットの平面図である。
【図１１】ディスプレイ部の表示を示す説明図である。
【図１２】本発明の実施の一形態に係るベッドを示す平面図である。
【図１３】エアー袋体のオムツ交換時の動き説明するための簡略側面図である。
【図１４】エアー袋体の使用状態を説明するための簡略図である。
【符号の説明】
【００４０】
１  エアー袋体
２  エアー供給手段
３  制御手段
４  遠赤外線発生部
５  ディスプレイ部
６  記録片
７  データ読取部
21  マット部
Ａ  被介護者
Ｂ  有資格者
ａ  両踵部
ｂ  骨盤部
ｃ  背中部
ｄ  両肘部
ｅ  両肩甲骨部
ｆ  後頭部
ｇ  足裏部
ｈ  肩部
ｉ  頭頂部
ｔ  所定時間
【図１】
0004585935.tif 000002
【図２】
0004585935.tif 000003
【図３】
0004585935.tif 000004
【図４】
0004585935.tif 000005
【図５】
0004585935.tif 000006
【図６】
0004585935.tif 000007
【図７】
0004585935.tif 000008
【図８】
0004585935.tif 000009
【図９】
0004585935.tif 000010
【図１０】
0004585935.tif 000011
【図１１】
0004585935.tif 000012
【図１２】
0004585935.tif 000013
【図１３】
0004585935.tif 000014
【図１４】
0004585935.tif 000015